(57)【要約】【課題】ハウリング現象を防止しながら、複数のマイクからの音声を並行して拡声することができるページング装置を提供する。【解決手段】このページング装置１００は、ハウリング防止機能を備えたページング装置であって、音声を電気信号に変換するマイク３と、マイク３により変換されたアナログ信号をデジタル信号に変換するＡ／Ｄコンバータ（Ａ／Ｄ変換手段）１５と、ＡＤコンバータ１５により変換されたデジタル信号を記憶するメモリ（記憶手段）１６と、メモリ１６から読み出されたデジタル信号をアナログ信号に変換するＤ／Ａコンバータ（Ｄ／Ａ変換手段）１７と、音声を増幅して拡声するＡＭＰ（拡声手段）１８と、制御部（制御手段）１４と、スピーカ４と、を備えて構成されている。【選択図】図２
2009081706.tif 000002
【特許請求の範囲】
【請求項１】
ハウリング防止機能を備えたページング装置であって、
音声を電気信号に変換するマイクロフォンと、該マイクロフォンにより変換されたアナログ信号をデジタル信号に変換するＡ／Ｄ変換手段と、該Ａ／Ｄ変換手段により変換されたデジタル信号を記憶する記憶手段と、該記憶手段から読み出されたデジタル信号をアナログ信号に変換するＤ／Ａ変換手段と、音声を増幅して拡声する拡声手段と、制御手段と、を備え、
前記マイクロフォンが活性状態であるか否かを通知する通知スイッチを備え、前記制御手段は、前記通知スイッチにより前記マイクロフォンが活性状態である旨を受信すると、該マイクロフォンから集音された音声データを前記Ａ／Ｄ変換手段によりデジタル信号に変換して前記記憶手段に記憶し、前記通知スイッチにより前記マイクロフォンが不活性状態である旨を受信すると、前記記憶手段による記憶動作を停止して、該記憶手段に記憶された音声データを前記Ｄ／Ａ変換手段によりアナログ信号に変換して前記拡声手段により拡声音として出力することを特徴とするページング装置。
【請求項２】
前記通知スイッチは、前記マイクロフォンに入力する音声回路を断接する断接スイッチと連動していることを特徴とする請求項１に記載のページング装置。
【請求項３】
前記制御手段は、前記通知スイッチにより前記マイクロフォンが不活性状態である旨を所定時間継続して受信すると、前記記憶手段に記憶された音声データを前記拡声手段により拡声音として出力することを特徴とする請求項１又は２に記載のページング装置。
【請求項４】
前記制御手段は、前記通知スイッチにより前記マイクロフォンが不活性状態である旨を受信した後に、前記所定時間が経過する前に再び該通知スイッチから前記マイクロフォンが活性状態である旨を受信すると、前記記憶手段による記憶動作を継続すると共に、前記所定時間を新たに計時し直すことを特徴とする請求項１又は２に記載のページング装置。
【請求項５】
前記マイクロフォンが複数存在する場合、各マイクロフォンごとにアドレスを付し、前記記憶手段の記憶領域を前記アドレス毎に区分けして前記音声データを記憶することを特徴とする請求項１乃至４の何れか一項に記載のページング装置。
【請求項６】
音声を電気信号に変換するマイクロフォンと、該マイクロフォンにより変換されたアナログ信号をデジタル信号に変換するＡ／Ｄ変換手段と、該Ａ／Ｄ変換手段により変換されたデジタル信号を記憶する第１の記憶手段と、該第１の記憶手段に記憶された音声データを指定されたアドレスに送信する機能とネットワークから音声データを受信する機能を有する通信手段と、該通信手段により受信された音声データを記憶する第２の記憶手段と、該第２の記憶手段から読み出されたデジタル信号をアナログ信号に変換するＤ／Ａ変換手段と、音声を増幅して拡声する拡声手段と、制御手段と、ネットワークと、を備えたことを特徴とするページングシステム。
【請求項７】
前記マイクロフォンが活性状態であるか否かを通知する通知スイッチを備え、前記制御手段は、前記通知スイッチにより前記マイクロフォンが活性状態である旨を受信すると、該マイクロフォンから集音された音声を前記Ａ／Ｄ変換手段によりデジタル信号に変換して前記第１の記憶手段に記憶し、前記通知スイッチにより前記マイクロフォンが不活性状態である旨を受信すると、前記第１の記憶手段による記憶動作を停止して、該第１の記憶手段に記憶された音声データの送信先アドレスを付して前記通信手段により前記ネットワークを介して送信することを特徴とする請求項６に記載のページングシステム。
【請求項８】
前記制御手段は、前記通信手段により音声データを受信すると、該音声データを前記第２の記憶手段に記憶し、該第２の記憶手段に記憶されている音声データを前記Ｄ／Ａ変換手段によりアナログ信号に変換して前記拡声手段により拡声音として出力することを特徴とする請求項６に記載のページングシステム。
【発明の詳細な説明】
【技術分野】
【０００１】
本発明は、ページング装置及びページングシステムに関し、さらに詳しくは、ハウリング現象を低減するページング装置のデータ送信技術に関するものである。
【背景技術】
【０００２】
構内ページング装置は、多くの工場や倉庫、プラント施設等で使用されているが、放送内容を確実に伝達しようとすれば必然的にスピーカの設置箇所数を増加したり、増幅器出力を増加させなければならない。その結果、マイクロフォンにスピーカからの音が回り込んで放送出力の帰還が生じ、いわゆるハウリング現象が発生することとなる。
このハウリング現象を低減する従来技術として、特許文献１には、複数のマイクからの音声を切替回路により選択して一旦メモリに記憶し、音声入力が終了すると、メモリから音声信号を読み出してスピーカにより拡声するハウリング防止装置について開示されている。
【特許文献１】特開平１０−２００９８６号公報
【発明の開示】
【発明が解決しようとする課題】
【０００３】
しかしながら、特許文献１は切替回路により選択された音声のみが記憶されるため、同時に複数の音声を記憶することができないので、最初の音声記録が終了するまで次の人は待たなければならないといった問題がある。
本発明は、かかる課題に鑑みてなされたものであり、複数のマイクからの音声データを個別にメモリの指定領域に記憶して、夫々のマイクからの音声入力が終了した時点でメモリから読み出して拡声することにより、ハウリング現象を防止しながら、複数のマイクからの音声を並行して拡声することができるページング装置を提供することを目的とする。
また、他の目的は、メモリに記憶した音声データを遠隔地に伝送して拡声するページングシステムを提供することである。
【課題を解決するための手段】
【０００４】
本発明はかかる課題を解決するために、請求項１は、ハウリング防止機能を備えたページング装置であって、音声を電気信号に変換するマイクロフォンと、該マイクロフォンにより変換されたアナログ信号をデジタル信号に変換するＡ／Ｄ変換手段と、該Ａ／Ｄ変換手段により変換されたデジタル信号を記憶する記憶手段と、該記憶手段から読み出されたデジタル信号をアナログ信号に変換するＤ／Ａ変換手段と、音声を増幅して拡声する拡声手段と、制御手段と、を備え、前記マイクロフォンが活性状態であるか否かを通知する通知スイッチを備え、前記制御手段は、前記通知スイッチにより前記マイクロフォンが活性状態である旨を受信すると、該マイクロフォンから集音された音声データを前記Ａ／Ｄ変換手段によりデジタル信号に変換して前記記憶手段に記憶し、前記通知スイッチにより前記マイクロフォンが不活性状態である旨を受信すると、前記記憶手段による記憶動作を停止して、該記憶手段に記憶された音声データを前記Ｄ／Ａ変換手段によりアナログ信号に変換して前記拡声手段により拡声音として出力することを特徴とする。
【０００５】
本発明のページング装置は、マイクロフォンに活性状態であるか否かを通知する通知スイッチを備え、制御装置が、通知スイッチによりマイクロフォンが活性状態である旨を受信すると、このマイクロフォンから集音された音声データをＡ／Ｄ変換手段によりデジタル信号に変換して記憶手段に記憶し、通知スイッチによりマイクロフォンが不活性状態である旨を受信すると、記憶手段による記憶動作を停止して、記憶手段に記憶された音声データをＤ／Ａ変換手段によりアナログ信号に変換して拡声手段により拡声音として出力する。これにより、マイクロフォンからの音声が終了してから記憶手段に記憶した音声を再生するので、確実にハウリング現象を無くすことができる。
【０００６】
請求項２は、前記通知スイッチは、前記マイクロフォンに入力する音声回路を断接する断接スイッチと連動していることを特徴とする。
通知スイッチは、マイクロフォンに取り付け、通知スイッチをオンすると音声回路が接続されると同時に、マイクロフォンが活性状態である旨の信号が送信される。このように通知スイッチは、マイクロフォンに入力する音声回路を断接する断接スイッチと連動している。これにより、音声をマイクロフォンに入力しているときは、必ずマイクロフォンが活性状態である旨の信号が送信され、この信号を監視することで音声の記憶を行うことができる。
【０００７】
請求項３は、前記制御手段は、前記通知スイッチにより前記マイクロフォンが不活性状態である旨を所定時間継続して受信すると、前記記憶手段に記憶された音声データを前記拡声手段により拡声音として出力することを特徴とする。
マイクロフォンを操作する操作者は、音声を記憶するときは通知スイッチを活性状態にするが、言葉の繋ぎ目で一瞬通知スイッチを不活性状態にする場合がある。そこで本発明では、制御手段が通知スイッチによりマイクロフォンが不活性状態である旨を所定時間継続して受信すると、記憶手段に記憶された音声データを拡声手段により拡声音として出力する。これにより、通知スイッチの短いＯＮ／ＯＦＦ動作に対して感知しないようにして、音声の継続性を維持することができる。
【０００８】
請求項４は、前記制御手段は、前記通知スイッチにより前記マイクロフォンが不活性状態である旨を受信した後に、前記所定時間が経過する前に再び該通知スイッチから前記マイクロフォンが活性状態である旨を受信すると、前記記憶手段による記憶動作を継続すると共に、前記所定時間を新たに計時し直すことを特徴とする。
マイクロフォンを操作する操作者は、音声を記憶するときは通知スイッチを活性状態にするが、言葉の繋ぎ目で一瞬通知スイッチを不活性状態にして所定時間が経過する前に再び活性状態する場合がある。そこで本発明では、記憶手段による記憶動作を継続すると共に、所定時間を新たに計時し直す。これにより、最後に通知スイッチが不活性状態になってから所定時間を計時することができる。
【０００９】
請求項５は、前記マイクロフォンが複数存在する場合、各マイクロフォンごとにアドレスを付し、前記記憶手段の記憶領域を前記アドレス毎に区分けして前記音声データを記憶することを特徴とする。
複数のマイクロフォンから同時に音声が発せられて拡声する場合は、夫々の同時性を維持するために、個別に音声データを記憶する必要がある。そこで本発明では、各マイクロフォンごとにアドレスを付し、記憶手段の記憶領域をアドレス毎に区分けして音声データを記憶する。これにより、同時に音声が発せられて拡声する場合でも、同時性を失わずに拡声することができる。
【００１０】
請求項６は、音声を電気信号に変換するマイクロフォンと、該マイクロフォンにより変換されたアナログ信号をデジタル信号に変換するＡ／Ｄ変換手段と、該Ａ／Ｄ変換手段により変換されたデジタル信号を記憶する第１の記憶手段と、該第１の記憶手段に記憶された音声データを指定されたアドレスに送信する機能とネットワークから音声データを受信する機能を有する通信手段と、該通信手段により受信された音声データを記憶する第２の記憶手段と、該第２の記憶手段から読み出されたデジタル信号をアナログ信号に変換するＤ／Ａ変換手段と、音声を増幅して拡声する拡声手段と、制御手段と、ネットワークと、を備えたことを特徴とする。
本発明では、アナログの音声データをデジタルに変換して記憶手段に記憶する。従って、デジタル信号に変換された音声データは、ネットワークを介して送信することが容易となる。そこで本発明では、通信手段を備え、第１の記憶手段に記憶した音声データをネットワークを介して送信し、通信手段により受信した受信データを第２の記憶手段に記憶する。これにより、遠隔地でも略同時に音声データを拡声することができる。
【００１１】
請求項７は、前記マイクロフォンが活性状態であるか否かを通知する通知スイッチを備え、前記制御手段は、前記通知スイッチにより前記マイクロフォンが活性状態である旨を受信すると、該マイクロフォンから集音された音声を前記Ａ／Ｄ変換手段によりデジタル信号に変換して前記第１の記憶手段に記憶し、前記通知スイッチにより前記マイクロフォンが不活性状態である旨を受信すると、前記第１の記憶手段による記憶動作を停止して、該第１の記憶手段に記憶された音声データの送信先アドレスを付して前記通信手段により前記ネットワークを介して送信することを特徴とする。
第１の記憶手段に記憶された音声データには、夫々に送信先のアドレスが付されている。従って、第１の記憶手段に記憶されている音声データを読み出して送信する場合は、その送信先のアドレスに音声データを送信する。これにより、音声データの送信先が音声データごとに明確に指示することができる。
【００１２】
請求項８は、前記制御手段は、前記通信手段により音声データを受信すると、該音声データを前記第２の記憶手段に記憶し、該第２の記憶手段に記憶されている音声データを前記Ｄ／Ａ変換手段によりアナログ信号に変換して前記拡声手段により拡声音として出力することを特徴とする。
受信側は送信先アドレスにより指定されているので、音声データを受信すると第２の記憶手段に記憶し、第２の記憶手段に記憶されている音声データをＤ／Ａ変換手段によりアナログ信号に変換して拡声手段により拡声音として出力する。これにより、ハウリング現象を低減すると共に、遠隔地への音声データの送信を容易とすることができる。
【発明の効果】
【００１３】
本発明によれば、マイクロフォンに活性状態であるか否かを通知する通知スイッチを備え、通知スイッチによりマイクロフォンが活性状態である旨を受信すると、このマイクロフォンから集音された音声データをＡ／Ｄ変換手段によりデジタル信号に変換して記憶手段に記憶し、通知スイッチによりマイクロフォンが不活性状態である旨を受信すると、記憶手段による記憶動作を停止して、憶手段に記憶された音声データをＤ／Ａ変換手段によりアナログ信号に変換して拡声手段により拡声音として出力するので、マイクロフォンからの音声が終了してから記憶手段に記憶した音声を再生するので、確実にハウリング減少を無くすことができる。
また、通知スイッチは、マイクロフォンに入力する音声回路を断接する断接スイッチと連動しているので、音声をマイクロフォンに入力しているときは、必ずマイクロフォンが活性状態である旨の信号が送信され、この信号を監視することで音声の記憶を行うことができる。
【００１４】
また、通知スイッチによりマイクロフォンが不活性状態である旨を所定時間継続して受信すると、記憶手段に記憶された音声データを拡声手段により拡声音として出力するので、通知スイッチの短いＯＮ／ＯＦＦ動作に対して感知しないようにして、音声の継続性を維持することができる。
また、記憶手段による記憶動作を継続すると共に、所定時間を新たに計時し直すので、最後に通知スイッチが不活性状態になってから所定時間を計時することができる。
また、各マイクロフォンごとにアドレスを付し、記憶手段の記憶領域をアドレス毎に区分けして音声データを記憶するので、同時に音声が発せられて拡声する場合でも、同時性を失わずに拡声することができる。
また、通信手段を備え、第１の記憶手段に記憶した音声データをネットワークを介して送信し、通信手段により受信した受信データを第２の記憶手段に記憶するので、遠隔地でも略同時に音声データを拡声することができる。
【００１５】
また、第１の記憶手段に記憶された音声データには、夫々に送信先のアドレスが付されている。従って、第１の記憶手段に記憶されている音声データを読み出して送信する場合は、その送信先のアドレスに音声データを送信するので、音声データの送信先が音声データごとに明確に指示することができる。
また、音声データを受信すると第２の記憶手段に記憶し、第２の記憶手段に記憶されている音声データをＤ／Ａ変換手段によりアナログ信号に変換して拡声手段により拡声音として出力するので、ハウリング現象を低減すると共に、遠隔地への音声データの送信を容易とすることができる。
【発明を実施するための最良の形態】
【００１６】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
図１は本発明のページング装置の概略構成図である。このページング装置１００は、集中的に操作を行なう操作卓１と、各マイクロフォン（以下、マイクと記す）３からの音声信号を所定のスピーカ４、６に拡声して出力する制御装置２と、エリアＡ、Ｂに備えられた複数のマイク３、５と、各エリアＡ、Ｂにマイクからの音声を拡声するスピーカ４、６とを備えて構成されている。従来のページング装置では、例えば、エリアＡのスピーカ４により音声を拡声して報知すると、マイク３にスピーカ４からの音が回り込んで放送出力の帰還が生じ、いわゆるハウリング現象が発生してしまった。そこで本発明では、後述する構成により、マイク３からの音声を一旦メモリに記憶して、マイク３からの音声入力がなくなった後に、メモリから音声データを読み出して増幅してスピーカ４から拡声する。これにより、マイク３からの音声が終了してからメモリに記憶した音声を再生するので、確実にハウリング現象を無くすことができる。
【００１７】
図２は本発明の第１の実施形態に係るページング装置１００を構成する制御装置２の内部構成を示す図である。同じ構成要素には図１と同じ参照番号を付して説明する。このページング装置１００は、ハウリング防止機能を備えたページング装置であって、音声を電気信号に変換するマイク３と、マイク３により変換されたアナログ信号をデジタル信号に変換するＡ／Ｄコンバータ（Ａ／Ｄ変換手段）１５と、Ａ／Ｄコンバータ１５により変換されたデジタル信号を記憶するメモリ（記憶手段）１６と、メモリ１６から読み出されたデジタル信号をアナログ信号に変換するＤ／Ａコンバータ（Ｄ／Ａ変換手段）１７と、音声を増幅して拡声するＡＭＰ（拡声手段）１８と、制御部（制御手段）１４と、スピーカ４と、を備えて構成されている。尚、マイク３には、マイク３が活性状態であるか否かを通知する通知スイッチ１１を備え、音声信号１２と通知スイッチのＯＮ（活性状態）／ＯＦＦ（不活性状態）を通知するＳＷ信号１３が制御部１４と接続されている。また、通知スイッチ１１は、マイク３に入力する音声回路を断接する断接スイッチと連動していてもよい。即ち、通知スイッチ１１は、マイク３に取り付け、通知スイッチ１１をオンすると音声回路が接続されると同時に、マイク３が活性状態である旨の信号が送信される。このように通知スイッチ１１は、マイク３に入力する音声回路を断接する断接スイッチと連動している。これにより、音声をマイク３に入力しているときは、必ずマイク３が活性状態である旨の信号が送信され、この信号を監視することで音声の記憶を行うことができる。
【００１８】
制御部１４は、通知スイッチ１１によりマイク３が活性状態（ＯＮ）である旨を受信すると、マイク３から集音された音声信号１２をＡ／Ｄコンバータ１５によりデジタル信号に変換してメモリ１６に記憶し、通知スイッチ１１によりマイク３が不活性状態（ＯＦＦ）である旨を受信すると、メモリ１６による記憶動作を停止して、メモリ１６に記憶された音声データをＤ／Ａコンバータ１７によりアナログ信号に変換してＡＭＰ１８により増幅してスピーカ４から拡声音として出力する。
【００１９】
即ち、本発明のページング装置１００は、マイク３に活性状態であるか否かを通知する通知スイッチ１１を備え、制御部１４が、通知スイッチ１１によりマイク３が活性状態である旨を受信すると、このマイク３から集音された音声信号１２をＡ／Ｄコンバータ１５によりデジタル信号に変換してメモリ１６に記憶し、通知スイッチ１１によりマイク３が不活性状態である旨を受信すると、メモリ１６による記憶動作を停止して、メモリ１６に記憶された音声信号をＤ／Ａコンバータ１７によりアナログ信号に変換してＡＭＰ１８により増幅してスピーカ４から拡声音として出力する。これにより、マイク３からの音声が終了してからメモリ１６に記憶した音声を再生するので、確実にハウリング現象を無くすことができる。
【００２０】
図３は、図２のページング装置の動作を説明するタイミングチャートである。縦軸には、通知スイッチ、音声信号、メモリ、ＡＭＰの信号名、横軸は時間である。制御部１４は、通知スイッチ１１によりマイク３が活性状態（ＯＮ）である旨を受信すると、メモリ１６を書き込みモードにする。そしてマイク３から音声信号ａが入力されると、Ａ／Ｄコンバータ１５によりデジタル信号に変換してメモリ１６に記憶していく。その後、通知スイッチ１１によりマイク３が不活性状態である旨を受信すると、メモリ１６による記憶動作を停止して、時間Ｔ後にメモリ１６を読出しモードにして、Ｄ／Ａコンバータ１７によりアナログ信号ａに変換してＡＭＰ１８により増幅してスピーカ４により出力する。ここで、通知スイッチ１１によりマイク３が不活性状態（ＯＦＦ）である旨を受信した後に、所定時間Ｔが経過する前に再び通知スイッチ１１からマイク３が活性状態（ＯＮ）である旨を受信すると（図３の破線部分）、メモリ１６による記憶動作を継続すると共に、所定時間Ｔを新たに計時し直す。従って、通知スイッチ１１によりマイク３が不活性状態である旨を受信すると、メモリ１６による記憶動作を即座に停止しないで、時間Ｔが経過するまで記憶動作を継続しても良い。
【００２１】
図４は本発明の第２の実施形態に係るページング装置の構成図である。このページング装置１２０は、基本構成は図２と同様であるが、複数のマイク３０に対応するＡ／Ｄコンバータ３２、Ｄ／Ａコンバータ３３、ＡＭＰ３４、スピーカ３５が備えられ、各マイクに対応するメモリ領域に音声データを記憶する構成とした。即ち、複数のマイク３０から同時に音声が発せられて拡声する場合は、夫々の同時性を維持するために、個別に音声データを記憶する必要がある。そこで本実施形態では、各マイクごとにアドレスを付し、メモリ３３の記憶領域をアドレス毎に区分けして音声データを記憶する。これにより、同時に音声が発せられて拡声する場合でも、同時性を失わずに拡声することができる。
【００２２】
図５は図４の動作を説明するフローチャートである。制御部３１は、複数のマイク３０から通知スイッチの状態を監視して（Ｓ１）、何れかの通知スイッチがＯＮとなると（Ｓ１でＹＥＳ）、そのマイクＮｏ．を識別して（Ｓ２）、その音声をＡ／Ｄ変換する（Ｓ３）。そしてマイクＮｏ．のメモリ領域をアドレス指定して音声データを記憶する（Ｓ４）。通知スイッチがＯＮのままであれば（Ｓ５でＮＯ）、ステップＳ３に戻ってメモリ３３に記憶し続ける。通知スイッチがＯＦＦになると（Ｓ５でＹＥＳ）、タイマをスタートさせて所定時間経過するかを監視する（Ｓ６）。所定時間が経過すると（Ｓ６でＹＥＳ）、メモリ３３への記憶動作を停止して（Ｓ７）、マイクＮｏ．のメモリ領域から音声データを読み出す（Ｓ８）。その音声データはＤ／Ａコンバータ３３によりアナログ信号に変換されて（Ｓ９）、ＡＭＰ３４により増幅してスピーカ３５により拡声される（Ｓ１０）。
尚、このフローチャートでは、マイク３０が１つの場合の動作について説明したが、同時に複数のマイクから通知スイッチがＯＮになった場合は、例えば、割り込み処理により時分割に並行処理することが可能である。
【００２３】
図６は本発明のページングシステムの構成図である。このページングシステム１３０は、領域Ａには、音声を電気信号に変換するマイク４０と、マイク４０により変換されたアナログ信号をデジタル信号に変換するＡ／Ｄコンバータ４１と、Ａ／Ｄコンバータ４１により変換されたデジタル信号を記憶する送信メモリ（第１の記憶手段）４２と、送信メモリ４２に記憶された音声データを指定されたアドレスに送信する機能とネットワーク４８から音声データを受信する機能を有する通信手段４３と、通信手段４３により受信された音声データを記憶する受信メモリ（第２の記憶手段）４４と、受信メモリ４４から読み出されたデジタル信号をアナログ信号に変換するＤ／Ａコンバータ４５と、音声を増幅するＡＭＰ４６と、スピーカ４７と、を備えたページング装置と、また、領域Ｂにも領域Ａと同様の構成を有するページング装置が備えられ、領域Ａと領域Ｂのページング装置がＬＡＮ（ネットワーク）４８により接続されてページングシステム１３０を構成している。
即ち、本発明では、アナログの音声データをデジタルに変換して送信メモリ４２に記憶する。従って、デジタル信号に変換された音声データは、ネットワーク４８を介して送信することが容易となる。そこで本発明では、通信手段４３を備え、送信メモリ４２に記憶した音声データをネットワーク４８を介して送信し、通信手段４９により受信した受信データを受信メモリ５３に記憶する。これにより、遠隔地でも略同時に音声データを拡声することができる。尚、図６では、例えば、領域Ａ内同士で通信する場合は、ルートａにより音声データを通信し、領域Ａと領域Ｂ間で通信する場合は、ルートｂにより音声データを通信する。
【００２４】
また、マイク４０が活性状態であるか否かを通知する通知スイッチを備え、通知スイッチによりマイク４０が活性状態である旨を受信すると、マイク４０から集音された音声をＡ／Ｄコンバータ４１によりデジタル信号に変換して、送信メモリ４２に記憶し、通知スイッチによりマイク４０が不活性状態である旨を受信すると、送信メモリ４２による記憶動作を停止して、送信メモリ４２に記憶された音声データの送信先アドレスを付して通信手段４３によりネットワーク４８を介して送信する。また、通信手段４３により音声データを受信すると、音声データを受信メモリ４４に記憶し、受信メモリ４４に記憶されている音声データをＤ／Ａコンバータ４５によりアナログ信号に変換して、ＡＭＰ４６により増幅してスピーカ４７で出力する。
即ち、送信メモリ４２に記憶された音声データには、夫々に送信先のアドレスが付されている。従って、送信メモリ４２に記憶されている音声データを読み出して送信する場合は、その送信先のアドレスに音声データを送信する。これにより、音声データの送信先が音声データごとに明確に指示することができる。また、受信側は送信先アドレスにより指定されているので、音声データを受信すると受信メモリ４５に記憶し、と受信メモリ４５に記憶されている音声データをＤ／Ａコンバータによりアナログ信号に変換してスピーカ４７より拡声音として出力する。これにより、ハウリング現象を低減すると共に、遠隔地への音声データの送信を容易とすることができる。
【００２５】
図７は図６の送信動作を説明するフローチャートである。領域Ａのマイク４０から通知スイッチの状態を監視して（Ｓ２０）、通知スイッチがＯＮとなると（Ｓ２０でＹＥＳ）、そのマイクＮｏ．を識別して（Ｓ２１）、その音声をＡ／Ｄ変換する（Ｓ２２）。そしてマイクＮｏ．のメモリ領域をアドレス指定して音声データを記憶する（Ｓ２３）。通知スイッチがＯＮのままであれば（Ｓ２４でＮＯ）、ステップＳ２２に戻って送信メモリ４２に記憶し続ける。通知スイッチがＯＦＦになると（Ｓ２４でＹＥＳ）、タイマをスタートさせて所定時間経過するかを監視する（Ｓ２５）。所定時間が経過すると（Ｓ２５でＹＥＳ）、送信メモリ４２への記憶動作を停止して（Ｓ２６）、マイクＮｏ．から送信先アドレスを解析して（Ｓ２７）、送信先アドレスに音声データを送信する（Ｓ２８）。
【００２６】
図８は図６の受信動作を説明するフローチャートである。通信手段４３から音声データを受信すると（Ｓ３０）、音声データを受信メモリ４４に記憶する（Ｓ３１）。そのとき、前の音声データが放送中か否かを確認して（Ｓ３２）、放送中でなければ、受信メモリ４４から音声データを読み出して（Ｓ３３）、Ｄ／Ａコンバータでアナログデータに変換して（Ｓ３４）、ＡＭＰ４６で増幅してスピーカ４７から出力する（Ｓ３５）。
【図面の簡単な説明】
【００２７】
【図１】本発明のページング装置の概略構成図である。
【図２】本発明の第１の実施形態に係るページング装置１００を構成する制御装置２の内部構成を示す図である。
【図３】図２のページング装置の動作を説明するタイミングチャートである。
【図４】本発明の第２の実施形態に係るページング装置の構成図である。
【図５】図４の動作を説明するフローチャートである。
【図６】本発明のページングシステムの構成図である。
【図７】図６の送信動作を説明するフローチャートである。
【図８】図６の受信動作を説明するフローチャートである。
【符号の説明】
【００２８】
１  操作卓、２  制御装置、３、５  マイク、４、６  スピーカ、１１  通知スイッチ、１２  音声信号、１３  ＳＷ信号、１４  制御部、１５  Ａ／Ｄコンバータ、１６  メモリ、１７  Ｄ／Ａコンバータ、１８  ＡＭＰ、２０  アドレス信号、１００  ページング装置
【図１】
2009081706.tif 000003
【図２】
2009081706.tif 000004
【図３】
2009081706.tif 000005
【図４】
2009081706.tif 000006
【図５】
2009081706.tif 000007
【図６】
2009081706.tif 000008
【図７】
2009081706.tif 000009
【図８】
2009081706.tif 000010